(57)【要約】【課題】  視聴者に対して放送番組と連携した情報を容易に提供することができる放送番組連携システムを得る。【解決手段】  例えば放送局１から配信されるテレビショッピング番組と共に、ここで紹介される商品の注文先の電話番号やメールアドレス等の情報を視聴者に配信したい場合、店舗サーバ６が放送配信センタ２に該情報を番組に対応付けて登録する。放送配信センタ２は放送番組の配信経路とは別の経路にて登録情報を放送受信サーバ３に出力し、放送受信サーバ３は図示せぬテレビ受像機に表示中の番組に対応する登録情報があれば、これを示す表示図形を重畳表示させる。そして、視聴者のリモコン操作により表示図形に対応する信号が入力されると、放送受信サーバ３は上記電話番号に発呼を行い、または上記メールアドレス宛に電子メールを送信する。【選択図】      図１
2006340020.tif 000002
【特許請求の範囲】
【請求項１】
少なくとも放送局からの放送番組を配信する放送配信センタ装置と、前記放送配信センタ装置から配信される前記放送番組をテレビ受像機に表示する放送受信サーバ装置とを含む放送番組連携システムであって、
前記放送配信センタ装置は、前記放送番組を配信する経路とは別の経路にて他装置から登録された少なくとも電話番号を含む情報を前記放送受信サーバ装置に出力する手段を有し、
前記放送受信サーバ装置は、前記放送配信センタ装置から受信された前記情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示する手段と、前記表示図形に対応する外部信号の入力に応答して、前記対応する情報の電話番号に発呼する手段とを有することを特徴とする放送番組連携システム。
【請求項２】
少なくとも放送局からの放送番組を配信する放送配信センタ装置と、前記放送配信センタ装置から配信される前記放送番組をテレビ受像機に表示する放送受信サーバ装置とを含む放送番組連携システムであって、
前記放送配信センタ装置は、前記放送番組を配信する経路とは別の経路にて他装置から登録された少なくともメールアドレスを含む情報を前記放送受信サーバ装置に出力する手段を有し、
前記放送受信サーバ装置は、前記放送配信センタ装置から受信された前記情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示する手段と、前記表示図形に対応する外部信号の入力に応答して、前記対応する情報のメールアドレスを宛先アドレスとする電子メールを作成してインタネット網を介して送信する送信手段とを有することを特徴とする放送番組連携システム。
【請求項３】
前記送信手段は、前記外部信号の入力に応答して、前記対応する情報のメールアドレスを宛先アドレスとする電子メールを前記テレビ受像機の同一画面上に表示するメール作成手段を有し、前記電子メールの送信を指示する外部信号の入力に応答して前記電子メールを前記インタネット網を介して送信することを特徴とする請求項２記載の放送番組連携システム。
【請求項４】
前記放送配信センタ装置は、前記他装置から登録された前記情報が前記放送受信サーバ装置に配信中の放送番組に対応するとき、この対応する情報を前記放送受信サーバ装置に出力することを特徴とする請求項１〜３いずれか記載の放送番組連携システム。
【請求項５】
前記外部信号は、前記放送受信サーバ装置に少なくとも番組の切替えを指示する制御信号を送出するリモートコントローラの予め設定された特定キーの押下に対応する信号であることを特徴とする請求項１〜４いずれか記載の放送番組連携システム。
【請求項６】
少なくとも放送局からの放送番組をテレビ受像機に表示する放送受信サーバ装置に前記放送番組を配信する放送配信センタ装置であって、
前記放送番組を配信する経路とは別の経路にて他装置から登録された少なくとも電話番号及びメールアドレスの一方を含む情報を、この情報に対応する放送番組を前記テレビ受像機に表示中に前記情報を示しかつ少なくとも文字及び図形のいずれかからなる表示図形を前記表示中の放送番組に重畳して前記テレビ受像機に表示させるべく、前記放送受信サーバ装置に出力する手段を有することを特徴とする放送配信センタ装置。
【請求項７】
前記他装置から登録された前記情報が前記放送受信サーバ装置に配信中の放送番組に対応するとき、この対応する情報を前記放送受信サーバ装置に出力することを特徴とする請求項６記載の放送配信センタ装置。
【請求項８】
放送配信センタ装置から配信される放送局からの放送番組をテレビ受像機に表示する放送受信サーバ装置であって、
前記放送配信センタ装置から前記放送番組を配信する経路とは別の経路にて他装置から登録された少なくとも電話番号を含む情報を受信し、この受信された情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示する手段と、前記表示図形に対応する外部信号の入力に応答して、前記対応する情報の電話番号に発呼する手段とを有することを特徴とする放送受信サーバ装置。
【請求項９】
放送配信センタ装置から配信される放送局からの放送番組をテレビ受像機に表示する放送受信サーバ装置であって、
前記放送配信センタ装置から前記放送番組を配信する経路とは別の経路にて他装置から登録された少なくともメールアドレスを含む情報を受信し、この受信された情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示する手段と、前記表示図形に対応する外部信号の入力に応答して、前記対応する情報のメールアドレスを宛先アドレスとする電子メールを作成してインタネット網を介して送信する送信手段とを有することを特徴とする放送受信サーバ装置。
【請求項１０】
前記送信手段は、前記外部信号の入力に応答して、前記対応する情報のメールアドレスを宛先アドレスとする電子メールを前記テレビ受像機の同一画面上に表示するメール作成手段を有し、前記電子メールの送信を指示する外部信号の入力に応答して前記電子メールを前記インタネット網を介して送信することを特徴とする請求項１０記載の放送受信サーバ装置。
【請求項１１】
前記放送配信センタ装置は、前記他装置から登録された前記情報が前記放送受信サーバ装置に配信中の放送番組に対応するとき、この対応する情報を前記放送受信サーバ装置に出力することを特徴とする請求項８〜１０いずれか記載の放送受信サーバ装置。
【請求項１２】
前記外部信号は、前記放送受信サーバ装置に少なくとも番組の切替えを指示する制御信号を送出するリモートコントローラの予め設定された特定キーの押下に対応する信号であることを特徴とする請求項８〜１１いずれか記載の放送受信サーバ装置。
【請求項１３】
少なくとも放送局からの放送番組を配信する放送配信センタ装置と、前記放送配信センタ装置から配信される前記放送番組をテレビ受像機に表示する放送受信サーバ装置とを含む放送番組連携システムに用いられる放送番組連携情報提供方法であって、
前記放送配信センタ装置において、前記放送番組を配信する経路とは別の経路にて他装置から登録された少なくとも電話番号を含む情報を前記放送受信サーバ装置に出力するステップと、
前記放送受信サーバ装置において、前記放送配信センタ装置から受信された前記情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示するステップと、前記表示図形に対応する外部信号の入力に応答して、前記対応する情報の電話番号に発呼するステップとを有することを特徴とする放送番組連携情報提供方法。
【請求項１４】
少なくとも放送局からの放送番組を配信する放送配信センタ装置と、前記放送配信センタ装置から配信される前記放送番組をテレビ受像機に表示する放送受信サーバ装置とを含む放送番組連携システムに用いられる放送番組連携情報提供方法であって、
前記放送配信センタ装置において、前記放送番組を配信する経路とは別の経路にて他装置から登録された少なくともメールアドレスを含む情報を前記放送受信サーバ装置に出力するステップと、
前記放送受信サーバ装置において、前記放送配信センタ装置から受信された前記情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示するステップと、前記表示図形に対応する外部信号の入力に応答して、前記対応する情報のメールアドレスを宛先アドレスとする電子メールを作成してインタネット網を介して送信する送信ステップとを有することを特徴とする放送番組連携情報提供方法。
【請求項１５】
前記送信ステップは、前記外部信号の入力に応答して、前記対応する情報のメールアドレスを宛先アドレスとする電子メールを前記テレビ受像機の同一画面上に表示するメール作成ステップを有し、前記電子メールの送信を指示する外部信号の入力に応答して前記電子メールを前記インタネット網を介して送信することを特徴とする請求項１４記載の放送番組連携情報提供方法。
【請求項１６】
前記放送配信センタ装置は、前記他装置から登録された前記情報が前記放送受信サーバ装置に配信中の放送番組に対応するとき、この対応する情報を前記放送受信サーバ装置に出力することを特徴とする請求項１３〜１５いずれか記載の放送番組連携情報提供方法。
【請求項１７】
前記外部信号は、前記放送受信サーバ装置に少なくとも番組の切替えを指示する制御信号を送出するリモートコントローラの予め設定された特定キーの押下に対応する信号であることを特徴とする請求項１３〜１６いずれか記載の放送番組連携情報提供方法。
【請求項１８】
少なくとも放送局からの放送番組を配信する放送配信センタ装置と、前記放送配信センタ装置から配信される前記放送番組をテレビ受像機に表示する放送受信サーバ装置とを含む放送番組連携システムに用いられる放送番組連携情報提供方法のプログラムであって、前記放送受信サーバ装置のコンピュータに、前記放送配信センタ装置から前記放送番組を配信する経路とは別の経路にて他装置から登録された少なくとも電話番号を含む情報を受信し、この受信された情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示する処理と、前記表示図形に対応する外部信号の入力に応答して、前記対応する情報の電話番号に発呼する処理とを実行させるためのプログラム。
【請求項１９】
少なくとも放送局からの放送番組を配信する放送配信センタ装置と、前記放送配信センタ装置から配信される前記放送番組をテレビ受像機に表示する放送受信サーバ装置とを含む放送番組連携システムに用いられる放送番組連携情報提供方法のプログラムであって、前記放送受信サーバ装置のコンピュータに、前記放送配信センタ装置から前記放送番組を配信する経路とは別の経路にて他装置から登録された少なくともメールアドレスを含む情報を受信し、この受信された情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示する処理と、前記表示図形に対応する外部信号の入力に応答して、前記対応する情報のメールアドレスを宛先アドレスとする電子メールをインタネット網を介して送信する処理とを実行させるためのプログラム。
【請求項２０】
少なくとも放送局からの放送番組を配信する放送配信センタ装置と、前記放送配信センタ装置から配信される前記放送番組をテレビ受像機に表示する放送受信サーバ装置とを含む放送番組連携システムに用いられる放送番組連携情報提供方法のプログラムであって、前記放送配信センタ装置のコンピュータに、前記放送番組を配信する経路とは別の経路にて他装置から登録された少なくとも電話番号及びメールアドレスの一方を含む情報を、この情報に対応する放送番組を前記テレビ受像機に表示中に前記情報を示しかつ少なくとも文字及び図形のいずれかからなる表示図形を前記表示中の放送番組に重畳して前記テレビ受像機に表示させるべく、前記放送受信サーバ装置に出力する処理を実行させるためのプログラム。
【発明の詳細な説明】
【技術分野】
【０００１】
本発明は放送番組連携システム、放送配信センタ装置、放送受信サーバ装置及びそれらに用いる放送番組連携情報提供方法並びにそのプログラムに関し、特に放送局からの放送映像を放送配信センタ装置が放送受信サーバ装置に配信して前記放送受信サーバ装置からテレビ受像機に表示する放送番組連携システムに関する。
【背景技術】
【０００２】
従来のテレビショッピングでは、ショッピング情報番組を放送中に画面に商品注文先の販売会社の電話番号などが表示され、視聴者はこの画面表示される電話番号などをメモに取り、そのメモを見ながら電話機を使って電話をして商品の注文を行なうようにしている。しかしながら、このような方法では、視聴者が電話番号をメモに取り、また視聴者がダイアルを行なわなければならないので、間違い電話が発生することは避けられない。
【０００３】
このような問題を解決すべく、特許文献１には、放送局が放送番組と共にコンピュータプログラムデータを伝送し、受信機側において視聴者が操作入力を与えると、このプログラムが実行されることにより自動的に電話回線にダイヤリングを行ってデータ伝送を行なうことが記載されている。
【０００４】
【特許文献１】特開平９−９３５５５号公報
【発明の開示】
【発明が解決しようとする課題】
【０００５】
しかしながら、特許文献１に記載の技術では、自動的に電話回線にダイヤリングを行うためのコンピュータプログラムデータは放送局がＴＶ放送信号に重畳して送信するようにしているため、放送局において専用の装置を新たに設置する必要がある。また、例えばテレビショッピングにおける販売会社などが放送中のある番組に対して急遽、上記の様なデータを番組と共に視聴者に配信したくなった場合、放送局にて変更を行なわなければならないので、即座に対応することは困難である。
【０００６】
本発明の目的は上記の問題点を解消し、視聴者に対して放送番組と連携した情報を容易に提供することができる放送番組連携システム、放送配信センタ装置、放送受信サーバ装置及びそれらに用いる放送番組連携情報提供方法並びにそのプログラムを提供することである。
【課題を解決するための手段】
【０００７】
本発明による放送番組連携システムは、少なくとも放送局からの放送番組を配信する放送配信センタ装置と、前記放送配信センタ装置から配信される前記放送番組をテレビ受像機に表示する放送受信サーバ装置とを含む放送番組連携システムであって、前記放送配信センタ装置は、前記放送番組を配信する経路とは別の経路にて他装置から登録された少なくとも電話番号を含む情報を前記放送受信サーバ装置に出力する手段を有し、前記放送受信サーバ装置は、前記放送配信センタ装置から受信された前記情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示する手段と、前記表示図形に対応する外部信号の入力に応答して、前記対応する情報の電話番号に発呼する手段とを有することを特徴とする。
【０００８】
本発明による別の放送番組連携システムは、少なくとも放送局からの放送番組を配信する放送配信センタ装置と、前記放送配信センタ装置から配信される前記放送番組をテレビ受像機に表示する放送受信サーバ装置とを含む放送番組連携システムであって、前記放送配信センタ装置は、前記放送番組を配信する経路とは別の経路にて他装置から登録された少なくともメールアドレスを含む情報を前記放送受信サーバ装置に出力する手段を有し、前記放送受信サーバ装置は、前記放送配信センタ装置から受信された前記情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示する手段と、前記表示図形に対応する外部信号の入力に応答して、前記対応する情報のメールアドレスを宛先アドレスとする電子メールを作成してインタネット網を介して送信する送信手段とを有することを特徴とする。
【０００９】
本発明による放送配信センタ装置は、少なくとも放送局からの放送番組をテレビ受像機に表示する放送受信サーバ装置に前記放送番組を配信する放送配信センタ装置であって、前記放送番組を配信する経路とは別の経路にて他装置から登録された少なくとも電話番号及びメールアドレスの一方を含む情報を、この情報に対応する放送番組を前記テレビ受像機に表示中に前記情報を示しかつ少なくとも文字及び図形のいずれかからなる表示図形を前記表示中の放送番組に重畳して前記テレビ受像機に表示させるべく、前記放送受信サーバ装置に出力する手段を有することを特徴とする。
【００１０】
本発明による放送受信サーバ装置は、放送配信センタ装置から配信される放送局からの放送番組をテレビ受像機に表示する放送受信サーバ装置であって、前記放送配信センタ装置から前記放送番組を配信する経路とは別の経路にて他装置から登録された少なくとも電話番号を含む情報を受信し、この受信された情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示する手段と、前記表示図形に対応する外部信号の入力に応答して、前記対応する情報の電話番号に発呼する手段とを有することを特徴とする。
【００１１】
本発明による別の放送受信サーバ装置は、放送配信センタ装置から配信される放送局からの放送番組をテレビ受像機に表示する放送受信サーバ装置であって、前記放送配信センタ装置から前記放送番組を配信する経路とは別の経路にて他装置から登録された少なくともメールアドレスを含む情報を受信し、この受信された情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示する手段と、前記表示図形に対応する外部信号の入力に応答して、前記対応する情報のメールアドレスを宛先アドレスとする電子メールを作成してインタネット網を介して送信する送信手段とを有することを特徴とする。
【００１２】
本発明による放送番組連携情報提供方法は、少なくとも放送局からの放送番組を配信する放送配信センタ装置と、前記放送配信センタ装置から配信される前記放送番組をテレビ受像機に表示する放送受信サーバ装置とを含む放送番組連携システムに用いられる放送番組連携情報提供方法であって、前記放送配信センタ装置において、前記放送番組を配信する経路とは別の経路にて他装置から登録された少なくとも電話番号を含む情報を前記放送受信サーバ装置に出力するステップと、前記放送受信サーバ装置において、前記放送配信センタ装置から受信された前記情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示するステップと、前記表示図形に対応する外部信号の入力に応答して、前記対応する情報の電話番号に発呼するステップとを有することを特徴とする。
【００１３】
本発明による別の放送番組連携情報提供方法は、少なくとも放送局からの放送番組を配信する放送配信センタ装置と、前記放送配信センタ装置から配信される前記放送番組をテレビ受像機に表示する放送受信サーバ装置とを含む放送番組連携システムに用いられる放送番組連携情報提供方法であって、前記放送配信センタ装置において、前記放送番組を配信する経路とは別の経路にて他装置から登録された少なくともメールアドレスを含む情報を前記放送受信サーバ装置に出力するステップと、前記放送受信サーバ装置において、前記放送配信センタ装置から受信された前記情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示するステップと、前記表示図形に対応する外部信号の入力に応答して、前記対応する情報のメールアドレスを宛先アドレスとする電子メールを作成してインタネット網を介して送信する送信ステップとを有することを特徴とする。
【００１４】
本発明によるプログラムは、少なくとも放送局からの放送番組を配信する放送配信センタ装置と、前記放送配信センタ装置から配信される前記放送番組をテレビ受像機に表示する放送受信サーバ装置とを含む放送番組連携システムに用いられる放送番組連携情報提供方法のプログラムであって、前記放送受信サーバ装置のコンピュータに、前記放送配信センタ装置から前記放送番組を配信する経路とは別の経路にて他装置から登録された少なくとも電話番号を含む情報を受信し、この受信された情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示する処理と、前記表示図形に対応する外部信号の入力に応答して、前記対応する情報の電話番号に発呼する処理とを実行させている。
【００１５】
本発明による別のプログラムは、少なくとも放送局からの放送番組を配信する放送配信センタ装置と、前記放送配信センタ装置から配信される前記放送番組をテレビ受像機に表示する放送受信サーバ装置とを含む放送番組連携システムに用いられる放送番組連携情報提供方法のプログラムであって、前記放送受信サーバ装置のコンピュータに、前記放送配信センタ装置から前記放送番組を配信する経路とは別の経路にて他装置から登録された少なくともメールアドレスを含む情報を受信し、この受信された情報が前記テレビ受像機に表示中の放送番組に対応するとき、この対応する情報があることを示しかつ少なくとも文字及び図形のいずれかからなる表示図形を前記表示中の放送番組に重畳して前記テレビ受像機に表示する処理と、前記表示図形に対応する外部信号の入力に応答して、前記対応する情報のメールアドレスを宛先アドレスとする電子メールをインタネット網を介して送信する処理とを実行させている。
【００１６】
本発明による更に別のプログラムは、少なくとも放送局からの放送番組を配信する放送配信センタ装置と、前記放送配信センタ装置から配信される前記放送番組をテレビ受像機に表示する放送受信サーバ装置とを含む放送番組連携システムに用いられる放送番組連携情報提供方法のプログラムであって、前記放送配信センタ装置のコンピュータに、前記放送番組を配信する経路とは別の経路にて他装置から登録された少なくとも電話番号及びメールアドレスの一方を含む情報を、この情報に対応する放送番組を前記テレビ受像機に表示中に前記情報を示しかつ少なくとも文字及び図形のいずれかからなる表示図形を前記表示中の放送番組に重畳して前記テレビ受像機に表示させるべく、前記放送受信サーバ装置に出力する処理を実行させている。
【００１７】
このように、本発明では、例えば放送局から配信されるテレビショッピング番組と共に、ここで紹介される商品の注文先である販売会社の電話番号やメールアドレス等の情報を視聴者に配信したい場合、放送配信センタ装置に該情報を番組に対応付けて登録することにより、放送配信センタ装置は放送番組の配信経路とは別の経路にて登録情報を放送受信サーバ装置に出力し、放送受信サーバ装置は、テレビ受像機に表示中の番組に対応する登録情報があれば、これを示す表示図形を重畳表示させる。そして、視聴者のリモコン操作により表示図形に対応する信号が入力されると、放送受信サーバ装置は、上記登録情報の電話番号に発呼を行い、または上記登録情報のメールアドレス宛に電子メールを送信するようにしている。
【００１８】
これによって、本発明では、放送局において登録情報を放送映像に重畳して送信しなくてすむので、放送局に専用の装置を導入する必要がなく、コストを抑えることが可能となる。また、販売会社等の側において、放送中のある番組に対して急遽、これに対応する情報を視聴者に配信したくなった場合でも、放送映像の配信経路とは別の経路で配信するようにしているので、このような場合に対しても即座に対応することができる。
【発明の効果】
【００１９】
本発明によれば、以下に述べるような構成及び動作とすることで、視聴者に対して放送番組と連携した情報を容易に提供することができるという効果が得られる。
【発明を実施するための最良の形態】
【００２０】
以下、本発明の実施例について図面を参照して説明する。
【００２１】
図１は本発明の実施例による放送番組連携システムの構成を示すブロック図である。図１において、本発明の実施例による放送番組連携システムは、テレビ映像（特に、ディジタル放送のテレビ映像）を送信する放送局１と、放送局１からの映像をＣＡＴＶ（ＣＡｂｌｅ  ＴｅｌｅＶｉｓｉｏｎ）のケーブルやＦＴＴＨ（Ｆｉｂｅｒ  Ｔｏ  Ｔｈｅ  Ｈｏｍｅ）のファイバケーブルを介して配信する放送配信センタ装置２と、放送配信センタ装置２から配信される映像を図示せぬテレビ受像機に表示する放送受信サーバ装置（ＳＴＳ：Ｓｅｔ  Ｔｏｐ  Ｓｅｒｖｅｒ）３とから構成されている。
【００２２】
また、放送配信センタ装置２は放送受信サーバ装置３に、ＣＡＴＶのケーブルやＦＴＴＨのファイバケーブルにてインタネットの閲覧サービスや電子メールサービスを提供するために、インタネット網１００に接続されており、インタネット網１００にはメール配信を行うメールサーバ４と、ＩＰ（Ｉｎｔｅｒｎｅｔ  Ｐｒｏｔｏｃｏｌ）電話と一般電話公衆網（図示せず）とを接続するための電話交換局５と、放送配信センタ装置２を介して放送受信サーバ装置３に配信される放送番組に対応する情報（番組連携情報）を放送受信サーバ装置３に届けるべく、この情報を放送配信センタ装置２に登録する例えばテレビショッピングの商品注文先の販売会社に設置された店舗サーバ６等とが接続されている。
【００２３】
例えば店舗サーバ６は、放送局１から放送配信センタ装置２を介して放送受信サーバ装置３にテレビショッピング情報番組が配信される際、この番組中で紹介される商品の注文先電話番号やメールアドレスの情報を該番組と共に放送受信サーバ装置３に配信したい場合、インタネット網１００を通して放送配信センタ装置２に該情報の登録を行う。この場合、店舗サーバ６は、この電話番号やメールアドレスの情報と共に、これがどの番組に対応するものであるかを判断するための情報（後述する放送番号）も同時に放送配信センタ装置２に登録する。
【００２４】
放送配信センタ装置２は店舗サーバ６からの登録情報を、ＣＡＴＶのケーブルやＦＴＴＨのファイバケーブルにて放送受信サーバ装置３に送出する。放送受信サーバ装置３では放送配信センタ装置２から登録情報を受取ると、それが現在テレビ受像機に表示中の放送局１からの番組に対応する情報であれば、表示中の番組映像に対応する情報があることを示しかつ文字や図形からなる表示図形（例えば、マークやアイコン等）を重畳して表示する。
【００２５】
テレビ受像機の画面を見ている視聴者が、重畳された表示図形に気付き、リモートコントローラ（以下、リモコンとする）（図示せず）から表示図形に対応する信号（例えば、予め設定された赤や青等の特定キーの押下等によって発生する信号）が入力されたとき、放送受信サーバ装置３は、表示中の番組に対応する情報に含まれる電話番号に発呼を行い、または表示中の番組に対応する情報に含まれるメールアドレス宛に電子メールを送信する。これにより、テレビショッピング情報番組であれば、視聴者は間違い電話等なく容易に商品の注文を行なうことが可能となる。
【００２６】
図２は本発明の実施例による放送配信センタ装置２の構成を示すブロック図である。図２において、放送配信センタ装置２は放送局１からのＴＶ（テレビ）放送を送出するＴＶ放送送出機２１と、インタネット網１００に接続される通信制御部２２と、上述した店舗サーバ６からの情報を登録する情報登録装置２３と、この登録情報を放送受信サーバ装置３に出力する登録情報出力装置２４とから構成されている。なお、ＴＶ放送送出機２１は、放送局１からのＴＶ放送映像に付加された放送番号（番組を識別するための識別情報）を登録情報出力装置２４に通知する
【００２７】
図３は本発明の実施例による放送受信サーバ装置３の構成を示すブロック図である。図３において、放送受信サーバ装置３はＴＶチューナ３１と、デコーダ３２と、画像合成器３３と、登録情報受信機３４と、登録情報処理部３５と、メール作成部３６と、通信制御部３７と、送信処理部３８と、受信処理部３９と、外部信号入出力部４０とから構成されている。
【００２８】
ＴＶチューナ３１は放送配信センタ装置２から配信される複数の放送映像のうち、リモートコントローラ（以下、リモコンとする）４２からのリモコン信号で指定される放送映像に対応する周波数の放送映像を選別してデコーダ３２に出力する。デコーダ３２はＴＶチューナ３１で選別された放送映像をデコードして画像合成器３３に出力するとともに、そのデコードした放送映像に付加された放送番号を登録情報処理部３５に通知する。
【００２９】
画像合成器３３は、デコーダ３２でデコードされた放送映像をテレビ受像機４１に送出する。現在テレビ受像機４１に表示中の放送映像（番組）に対応する登録情報があれば、画像合成器３３は登録情報処理部３５からの指示に従って、予め設定された表示図形（例えば、文字や数字、記号、図形等の単体や組合せで表示する図形）を現在表示中の番組に重畳してテレビ受像機４１に送出する。また、画像合成器３３はメール作成部３６からの画面切替え指示に応じてテレビ受像機４１の表示領域を分割してその分割領域に映像を割り当ててテレビ受像機４１に送出する。
【００３０】
登録情報受信機３４は放送配信センタ装置２から登録情報を受信すると、この登録情報を登録情報処理部３５に渡す。登録情報処理部３５は、デコーダ３２からの放送番号と登録情報受信機３４からの登録情報に含まれる放送番号とを比較することにより、この登録情報が現在テレビ受像機４１に表示中の番組に対応する情報であるか否かを判断し、対応する情報であれば表示図形を重畳表示させるべく画像合成器３３に指示する。また、リモコン４２から表示図形に対応する信号が入力されると、登録情報処理部３５は、登録情報に含まれる電話番号を送信処理部３８に通知し発呼を指示し、または登録情報に含まれるメールアドレスをメール作成部３６に通知する。
【００３１】
メール作成部３６は、登録情報処理部３５からメールアドレスを受け取ると、これを宛先アドレスとする電子メールを作成して画像合成器３３に送出する。これにより、画像合成器３３はテレビ受像機４１の表示領域を分割してその一方の分割領域に表示中であった番組を継続して表示せしめ、他方に該電子メールの作成画面を表示せしめる。ここで、リモコン４２から該電子メールの作成終了・送信を指示する信号が入力されると、メール作成部３６は、該電子メールを送信処理部３８に送出しメール送信を指示する。
【００３２】
通信制御部３７は放送配信センタ装置２とインタネット網１００とを介してメールサーバ４、店舗サーバ６等との間とデータ通信を行うとともに、インタネット網１００及び電話交換局６を介してＩＰ電話と一般電話公衆網との接続を制御する。送信処理部３８は放送配信センタ装置２やインタネット網１００への信号の送信処理を行い、受信処理部３９は放送配信センタ装置２やインタネット網１００からの信号の受信処理を行う。
【００３３】
外部信号入出力部４０はリモコン４２、キーボード（図示せず）、ハンドセット（例えば、ＩＰ電話や一般電話等の送受話器）（図示せず）、ＴＶ電話用のカメラ等との間のインタフェースである。
【００３４】
図４は図２の登録情報出力装置２４の動作を示すフローチャートである。これら図１〜図４を参照して登録情報出力装置２４の処理動作について説明する。なお、図４のフローチャートに従った処理動作はコンピュータが実行するプログラムでも実現可能である。
【００３５】
登録情報出力装置２４は、放送局１から配信された各番組を示す放送番号をＴＶ放送送出機から受け取ると（ステップＡ１）、この放送番号に対応する登録情報があるか否か判断する（ステップＡ２）。ここで、対応する登録情報があれば、登録情報出力装置２４は該登録情報を放送受信サーバ装置３に出力する（ステップＡ３）。
【００３６】
図５は図３の放送受信サーバ装置３の動作を示すフローチャートである。これら図１〜図５を参照して放送受信サーバ装置３の処理動作について説明する。なお、図５では、店舗サーバ６から登録される情報にはメールアドレスではなく電話番号が含まれているものとする。また、図５のフローチャートに従った処理動作はコンピュータが実行するプログラムでも実現可能である。
【００３７】
登録情報処理部３５は、現在テレビ受像機４１に表示中の番組を示す放送番号をデコーダ３２から受け取ると（ステップＢ１）、この放送番号に対応する登録情報が登録情報受信機３４から送られてきた登録情報にあるか否か判断する（ステップＢ２）。ここで、対応する登録情報があれば、登録情報処理部３５は、現在表示中の番組に対応する情報があることを示す表示図形をテレビ受像機４１に表示中の番組に重畳して表示するように画像合成器３３に指示する（ステップＢ３）。この場合、登録情報処理部３５は上記の指示とともに上記表示図形を画像合成器３３に送る。
【００３８】
次に、登録情報処理部３５は、テレビ受像機４１に表示中の番組映像に重畳して表示された表示図形を視聴者が見て、リモコン４２の対応する特定キー（例えば、テレビ受像機４１に重畳表示されている表示図形と同じ色のボタンや同じ図形のボタン、あるいはその他の特定ボタン）を押下すると（ステップＢ４）、対応する登録情報に含まれる電話番号に発呼するよう送信処理部３８に指示する（ステップＢ５）。これにより、視聴者は外部信号入出力部４０に接続されたハンドセットを用いて、インタネット網１００を介して店舗サーバ６の電話機７とＩＰ電話により接続して商品の注文等を行なうことができる。なお、ＩＰ電話ではなく一般電話を使用してもよく、この場合、放送受信サーバ装置３は電話交換局６と電話回線を介して直接接続されている。
【００３９】
図７は図５のフローチャートに対応する放送番組連携システムの動作を示すシーケンスチャートであり、店舗サーバ６から登録される情報にメールアドレスではなく電話番号が含まれている場合の動作を示す。これら図１〜図３及び図７を参照して本発明の実施例による放送番組連携システムの動作について説明する。
【００４０】
店舗サーバ６は、所望の番組の放送中にこれと共に視聴者に提示したい情報（少なくとも電話番号情報と上記所望の番組を示す放送番号）を放送配信センタ装置２に予め登録しておく（ステップａ１）。また、放送配信センタ装置２は放送局１からの放送映像を放送受信サーバ装置３に配信しており（ステップａ２，ａ３）、放送受信サーバ装置３は、視聴者のリモコン操作により指定された番組をテレビ受像機４１に表示している（ステップａ４）。
【００４１】
放送配信センタ装置２は、現在、放送受信サーバ装置３に配信している番組に対応する登録情報があれば、これを放送受信サーバ装置３に送信する（ステップａ５）。放送受信サーバ装置３は、現在、テレビ受像機４１に表示中の番組に対応する登録情報を放送配信センタ装置２より受信していれば、これを示す表示図形をテレビ受像機４１に表示中の番組に重畳して表示する（ステップａ６）。
【００４２】
視聴者がテレビ受像機４１の番組に重畳された表示図形を見てリモコン４２を操作すると（ステップａ７）、放送受信サーバ装置３はそのリモコン４２の操作に応答して、テレビ受像機４１に表示中の番組に対応する登録情報に含まれる電話番号に発呼を行なう（ステップａ８）。これにより、例えば店舗サーバ６の電話機７と電話することができる。
【００４３】
図６は図３の放送受信サーバ装置３の別の動作を示すフローチャートである。これら図１〜図３及び図６を参照して登録情報処理部３５の処理動作について説明する。なお、図６では、店舗サーバ６から登録される情報には電話番号ではなくメールアドレスが含まれているものとする。また、図６のフローチャートに従った処理動作はコンピュータが実行するプログラムでも実現可能である。
【００４４】
図６のステップＣ１〜Ｃ４の処理動作は、図５のステップＢ１〜Ｂ４の処理動作と同じであり既に説明したので、説明を省略する。テレビ受像機４１に表示中の番組に重畳して表示された表示図形を視聴者が見て、リモコン４２の対応する特定キーが押下されると（ステップＣ４）、登録情報処理部３５は対応する登録情報に含まれるメールアドレスをメール作成部３６に通知し、メール作成部３６が登録情報処理部３５からのメールアドレスを宛先アドレスとする電子メールを作成して画像合成器３３に送出することにより、画像合成器３３はテレビ受像機４１の表示領域を分割してその一方の分割領域に表示中であった番組を継続して表示せしめ、他方に該電子メールの作成画面を表示せしめる（ステップＣ５）。
【００４５】
視聴者はテレビ受像機４１に表示されているメール作成画面を見ながら、リモコン４２またはキーボード等を用いてメール本文の入力を行いメール送信指示を出すと（ステップＣ６）、メール作成部３６は、該電子メールを送信処理部３８に送出しメール送信を指示する（ステップＣ７）。なお、メール送信の際の視聴者によるメール本文の入力を必要最低限のものとするために、店舗サーバ６から放送配信センタ装置２に登録される登録情報には、メールアドレスに加えて予め必要な情報が記載されたメール本文のテンプレート情報を含めるようにしてもよい。このようにすれば、メール作成部３６が宛先アドレスは勿論、メール本文もテンプレートに従って作成することができるので、視聴者が入力すべき事項は例えば購入を希望する商品の数量や住所のみですみ、視聴者の負担を軽減することができる。
【００４６】
図８は図６のフローチャートに対応する放送番組連携システムの動作を示すシーケンスチャートであり、店舗サーバ６から登録される情報に電話番号ではなくメールアドレスが含まれている場合の動作を示す。これら図１〜図３及び図８を参照して本発明の実施例による放送番組連携システムの動作について説明する。
【００４７】
図８のステップｂ１〜ｂ７の処理動作は、図７のステップａ１〜ａ７の処理動作と同じであり既に説明したので、説明を省略する。ただし、ステップｂ１において、店舗サーバ６が放送配信センタ装置２に予め登録しておく情報、すなわち所望の番組の放送中にこれと共に視聴者に提示したい情報には少なくともメールアドレスと上記所望の番組を示す放送番号が含まれている。
【００４８】
視聴者がテレビ受像機４１の番組に重畳された表示図形を見てリモコン４２を操作すると（ステップｂ７）、放送受信サーバ装置３はそのリモコン４２の操作に応答して、テレビ受像機４１の表示領域を分割してその一方の分割領域に表示中であった番組を継続して表示せしめ、他方の分割領域に該番組に対応する登録情報に含まれるメールアドレスを宛先とする電子メールの作成画面を表示せしめる（ステップｂ８）。
【００４９】
そして、視聴者によりメール本文の入力がなされ送信指示されると（ステップｂ９）、放送受信サーバ装置３は、作成された電子メールをインタネット網１００を介してメールサーバ４に送信する（ステップｂ１０）。メールサーバ４は店舗サーバ６に該メールの配信を行なう（ステップｂ１１）。
【００５０】
上記図５〜図８では、店舗サーバ６から登録される情報に電話番号とメールアドレスの一方が含まれる場合について説明したが、この登録情報には電話番号とメールアドレスの両方が含まれていてもよい。
【００５１】
この場合には、図５のステップＢ４や図６のステップＣ４で視聴者がテレビ受像機４１の番組に重畳された表示図形を見てリモコン４２を操作した後、直ちに図５のステップＢ５や図６のステップＣ５に進むのではなく、登録情報処理部３５が画像合成器３３に指示を出し、テレビ受像機４１の表示領域を分割して電話とメールのどちらかを視聴者に選択させるための選択画面を表示させるようにする。そして、視聴者が選択画面を見てリモコン４２操作により電話を選択すれば図５のステップＢ５と同様の動作を行い、視聴者がメールを選択すれば図６のステップＣ５〜Ｃ７と同様の動作を行なうようにすればよい。
【００５２】
以上説明したように、本発明の実施例では、放送配信センタ装置２は店舗サーバ６からの登録情報を放送局１からの放送映像を配信する経路とは別の経路にて放送受信サーバ装置３に配信しており、放送局１において該登録情報を放送映像に重畳して送信しなくてすむので、放送局１に専用の装置を導入する必要がなく、コストを抑えることができる。また、店舗サーバ６側において、放送中のある番組に対して急遽、これに対応する情報を視聴者に配信したくなった場合でも、放送映像の配信経路とは別の経路で配信するようにしているので、このような場合に対しても即座に対応することができる。
【産業上の利用可能性】
【００５３】
本発明は、上記の実施例でテレビ映像を送信する放送局１からの放送映像を表示中の動作について述べているが、映画、球場や劇場からの中継映像等の放送局１からの放送映像以外の映像を配信する場合にも適用可能である。また、本発明は、放送配信センタ装置２を放送局１とは独立に設けているが、放送局１内に設けた場合にも適用可能である。
【図面の簡単な説明】
【００５４】
【図１】本発明の実施例による放送番組連携システムの構成を示すブロック図である。
【図２】図１の放送配信センタ装置の構成を示すブロック図である。
【図３】図１の放送受信サーバ装置の構成を示すブロック図である。
【図４】図２の登録情報出力装置の動作を示すフローチャートである。
【図５】図３の放送受信サーバ装置の動作を示すフローチャートである。
【図６】図３の放送受信サーバ装置の別の動作を示すフローチャートである。
【図７】図５のフローチャートに対応する放送番組連携システムの動作を示すシーケンスチャートである。
【図８】図６のフローチャートに対応する放送番組連携システムの動作を示すシーケンスチャートである。
【符号の説明】
【００５５】
１  放送局
２  放送配信センタ装置
３  放送受信サーバ装置
４  メールサーバ
５  電話交換局
６  店舗サーバ
７  電話機
２１  ＴＶ放送送出機
２２  通信制御部
２３  情報登録装置
２４  登録情報出力装置
３１  ＴＶチューナ
３２  デコーダ
３３  画像合成器
３４  登録情報受信機
３５  登録情報処理部
３６  メール作成部
３７  通信制御部
３８  送信処理部
３９  受信処理部
４０  外部信号入出力部
４１  テレビ受像機
４２  リモートコントローラ
１００  インタネット網
【図１】
2006340020.tif 000003
【図２】
2006340020.tif 000004
【図３】
2006340020.tif 000005
【図４】
2006340020.tif 000006
【図５】
2006340020.tif 000007
【図６】
2006340020.tif 000008
【図７】
2006340020.tif 000009
【図８】
2006340020.tif 000010